(57)【要約】【課題】  特別なホスト装置を必要とせずに正確な時刻を簡単に設定することができるファクシミリ装置を提供する。【解決手段】  電波時計１０は、４０ｋＨｚまたは６０ｋＨｚの長波で送信される標準電波を受けて時刻データに変換する時計で、所定の時間帯に標準電波を受けて、リアルタイムクロック６に正しい時刻をセットする。また、網制御装置１８が時刻データを得るために接続した相手からの音声データを音声認識部１６が認識して、リアルタイムクロック６に時刻をセットする代替手段も備えている。【選択図】  図１
2006023217.tif 000002
【特許請求の範囲】
【請求項１】
時計手段を有するファクシミリ装置において、所定時刻に電波を受信して現在時刻を取得する電波時計手段と、現在時刻の設定操作と所要の表示を行う表示操作手段と、前記電波時計手段により取得した現在時刻により前記時計手段の時刻修正を行う時計修正手段とを備えたことを特徴とするファクシミリ装置。
【請求項２】
前記時計修正手段は、前記電波時計手段により現在時刻を取得できた場合、前記表示操作部に成功した旨の表示を行うことを特徴とする請求項１記載のファクシミリ装置。
【請求項３】
前記時計修正手段は、前記電波時計手段により現在時刻を取得できなかった場合、また連続して取得できなかった場合は、前記表示操作部に取得できなかった旨、または連続して取得できなかった回数を表示することを特徴とする請求項１記載のファクシミリ装置。
【請求項４】
請求項１、２または３記載のファクシミリ装置において、電話回線を用いて時報サービスを行う局に発呼して、先方からの音声情報から現在時刻を取得する現在時刻取得手段をさらに備え、前記時計修正手段は前記現在時刻取得手段によって取得した現在時刻を設定して前記時計手段の時刻修正を行うことを特徴とするファクシミリ装置。
【請求項５】
前記現在時刻取得手段および時計修正手段は前記表示操作部からの操作情報に基づいて動作を開始し、前記時計手段の時刻修正を行うことを特徴とする請求項４記載のファクシミリ装置。
【請求項６】
前記現在時刻取得手段および時計修正手段は、前記電波時計手段により現在時刻の取得に失敗したとき動作を開始し、前記時計手段の時刻修正を行うことを特徴とする請求項４記載のファクシミリ装置。
【請求項７】
表示操作部と、時計手段を有するファクシミリ装置において、前記表示操作部からの操作に基づき電話回線を用いて時報サービスを行う局に発呼して、先方からの音声情報から現在時刻を取得する現在時刻取得手段と、前記現在時刻取得手段により取得した現在時刻に基づいて前記時計手段の時刻修正を行う時計修正手段とを備え、該時計修正手段は、前記時計手段の時刻修正を行った後に設定済みを示す表示を前記表示操作部に行うことを特徴とするファクシミリ装置。
【請求項８】
前記時計修正手段は、前記設定済みを示す表示を前記表示操作部に行う際に設定日時も表示することを特徴とする請求項７記載のファクシミリ装置。
【発明の詳細な説明】
【技術分野】
【０００１】
本発明は、ファクシミリ装置に関し、特にファクシミリ装置の時刻設定に関する。
【背景技術】
【０００２】
ファクシミリ装置にとって、正確な時刻を保持することは通信記録の保存や時刻指定送信等で重要である。ファクシミリ装置の時計は長い間修正を怠ると誤差が大きくなるため、適宜修正の必要がある。従来では、通常の置時計や腕時計の時刻を修正するように、ファクシミリの利用者が、適時、ラジオやテレビの時報、あるいは自身の腕時計に合わせて調整を行っていた。しかし、時刻の設定方法を知らない利用者も多く、更に操作が煩わしいこともあり、正しくない（狂った）時刻のまま稼動している装置も少なくない。
最近では、ファクシミリ装置がネットワークに繋がっている場合は、ＮＴＰ（Network Time Protocol）サーバから正確な時刻情報を入手して、装置の時刻を修正することもできる。
正確な時刻を設定する従来技術として、ファクシミリ装置からホスト装置へログオンした際に、ホスト装置から返信されるログオン承認信号に時刻データを含ませておき、この受信した時刻データに基づき、ファクシミリ装置の時計の修正を行うようにしたもの（特許文献１参照）、また、正しい時刻をＤＴＭＦ（Dial Tone Multi Frequency）で送信するサービス局を設け、このサービス局から受信した時刻を時計に設定するもの（特許文献２参照）等がある。
【特許文献１】特開２００２−１１１９０１公報
【特許文献２】特開２０００−１９６８００公報
【発明の開示】
【発明が解決しようとする課題】
【０００３】
しかしながら、上記従来技術では、どれもホスト装置やサービス局を必要とするばかりか、個々のファクシミリ装置に対してサービスを行うためのホスト装置（サービス局）の保守／運営を行わなければならないという問題がある。
また、電波時計が利用している標準電波を受信して修正する方法もあるが、窓際等の電波の状態が良好な所でないと利用できない場合もある。
本発明は、上述した実情を考慮してなされたものであって、電波時計が時刻の取得に失敗しても、特別なホスト装置を必要とせずに正確な時刻を簡単に設定することができるファクシミリ装置を提供することを目的とする。
【課題を解決するための手段】
【０００４】
上記の課題を解決するために、請求項１の発明は、時計手段を有するファクシミリ装置において、所定時刻に電波を受信して現在時刻を取得する電波時計手段と、現在時刻の設定操作と所要の表示を行う表示操作手段と、前記電波時計手段により取得した現在時刻により前記時計手段の時刻修正を行う時計修正手段とを備えたことを特徴とする。すなわち、予め定めた時刻に電波時計が標準電波を受信して、取得した時刻をファクシミリ装置の時計に設定する。
また請求項２の発明は、前記時計修正手段は、前記電波時計手段により現在時刻を取得できた場合、前記表示操作部に成功した旨の表示を行うことを特徴とする。こうすることにより、時刻の設定に成功したことがわかる。
また請求項３の発明は、前記時計修正手段は、前記電波時計手段により現在時刻を取得できなかった場合、また連続して取得できなかった場合は、前記表示操作部に取得できなかった旨、または連続して取得できなかった回数を表示することを特徴とする。こうすることにより、最後に正しい時刻が設定されてからどのくらいの日数が経過したかがわかり利用者に注意を喚起することができる。
また請求項４の発明は、請求項１、２または３記載のファクシミリ装置において、電話回線を用いて時報サービスを行う局に発呼して、先方からの音声情報から現在時刻を取得する現在時刻取得手段をさらに備え、前記時計修正手段は前記現在時刻取得手段によって取得した現在時刻を設定して前記時計手段の時刻修正を行うことを特徴とする。すなわち、電波時計のほかに代替手段を設け、確実に時計を修正する手段を提供する。
【０００５】
また請求項５の発明は、前記現在時刻取得手段および時計修正手段は前記表示操作部からの操作情報に基づいて動作を開始し、前記時計手段の時刻修正を行うことを特徴とする。こうすることにより、任意の時期に時計の修正が行えるようになる。
請求項６記載の発明は、前記現在時刻取得手段および時計修正手段は、前記電波時計手段により現在時刻の取得に失敗したとき動作を開始し、前記時計手段の時刻修正を行うことを特徴とする。こうすることにより、利用者の操作を必要とせずに常に正しい時刻が時計にセットされる。
請求項７記載の発明は、表示操作部と、時計手段を有するファクシミリ装置において、前記表示操作部からの操作に基づき電話回線を用いて時報サービスを行う局に発呼して、先方からの音声情報から現在時刻を取得する現在時刻取得手段と、前記現在時刻取得手段により取得した現在時刻に基づいて前記時計手段の時刻修正を行う時計修正手段とを備え、該時計修正手段は、前記時計手段の時刻修正を行った後に設定済みを示す表示を前記表示操作部に行うことを特徴とする。すなわち、電話回線の時報サービスを用いて正しい時刻を設定できる。
請求項８記載の発明は、前記時計修正手段は、前記設定済みを示す表示を前記表示操作部に行う際に設定日時も表示することを特徴とする。こうすることにより、最後に正しい時刻が設定されてからどのくらいの日数が経過したかがわかり利用者に注意を喚起することができる。
【発明の効果】
【０００６】
本発明によれば、特別なホスト装置を必要とせずに正確な時刻をファクシミリ装置に簡単に設定することができる。
また最後に正しい時刻が設定されてからどのくらいの日数が経過したかがわかり利用者に注意を喚起することができる。
さらに電波時計が時刻の取得に失敗しても正確な時刻をファクシミリ装置に簡単に設定することができる。
【発明を実施するための最良の形態】
【０００７】
以下、図面を参照して、本発明の実施形態を詳細に説明する。
図１は、本発明のファクシミリ装置の機能構成を示すブロック図である。
この図１において、スキャナ１は原稿の読み取りを行う部位、プロッタ２は画像の形成を行う部位である。原稿センサ７は原稿のサイズ有無やサイズを検知するセンサ、用紙センサ８は用紙の有無やサイズを検知するセンサである。画像メモリ４は画像データを一時的に蓄積するメモリ、符号化復号化部１２は画像データの符号化及び復号化を行う部位である。なお、これらは通常のファクシミリ装置と同じであるため、その詳細な説明は省略して、本発明にかかる部分を重点的に説明する。
操作表示部３は、通常のファクシミリ装置と同様に、テンキー等のキースイッチあるいはタッチパネルの入力部とＬＣＤ、ＬＥＤ等を用いた表示部で構成され、ファクシミリの送信、短縮ダイアルの登録、時計のセット等に使用される。通信制御部１１は、モデム１７を介して網制御装置（ＮＣＵ）１８を制御し、公衆回線への発呼、接続等を行い、接続先との通信制御を行う。音声認識部１６は、網制御装置１８が時刻データを得るために接続した相手（例えばＮＴＴの時報サービス）からの音声データを認識して時刻データを抽出する部分である。
リアルタイムクロック６は、バッテリ９にバックアップされたカレンダ時計を含み、ファクシミリ装置の電源が切られても時計機能は動作するようになっている。時刻の読み出しおよび設定は、バス２０を通して行う。電波時計１０は、４０ｋＨｚあるいは６０ｋＨｚの長波で送信される標準電波を受けて時刻データに変換する時計で、本実施の形態では、夜間の電波状態が良好で、オフィスの雑音電波が減少する時間帯に標準電波を受けて、リアルタイムクロック６に正しい時刻をセットするようにしている。
また、各部の機能および装置全体の制御はＲＯＭ１４に記憶されたプログラムをＣＰＵ１３が実行することにより実現される。
【０００８】
図２は、自動設定による時計への時刻設定の流れを説明する図である。
本実施の形態によるファクシミリ装置の時計（リアルタイムクロック６）への時刻設定は、ここで説明する電波時計１０を利用した自動設定と、自動設定が失敗した場合等に利用者が指示して行うマニュアル設定とがある。
以下、図面を参照して、時刻設定の流れを説明する。パラメータメモリ５には、自動設定を行う時刻が記憶されており、毎日この時刻になると電波時計の標準電波を受信する（ステップ２０１、２０２）。自動設定を行う時刻は、パソコン等の電子装置の使用が極端に減る深夜が望ましい。電波強度と外来ノイズレベル等の電波状態が良好な場合は確実に電波を受信することができるが、受信できなかった場合は（ステップ２０３でＮ）、失敗した旨をパラメータメモリ５に記録すると共に、未受信マークを操作表示部３に表示して（ステップ２０６）処理を終了する。この場合、所定の時間間隔（例えば１分程度）をおいて、数回の再試行を行うことは有効である。
標準電波の受信が成功した場合は（ステップ２０３でＹ）、受信信号をデコードして時刻データを抽出してリアルタイムクロック６に時刻のセットを行い（ステップ２０４）、受信に成功した旨をパラメータメモリ５に記録すると共に、受信マークを操作表示部３に表示して（ステップ２０５）処理を終了する。なお、この処理は、ＲＯＭ１４に格納されているプログラムが、リアルタイムクロック６からの割込みによって起動されて開始される。
【０００９】
図３は、マニュアル設定による時計への時刻設定の流れを説明する図である。
電波時計による受信が失敗したことを操作表示部３に表示された未受信マークで知ったファクシミリの利用者は、操作表示部３から手作業による時計の設定を行うことができる。操作表示部３のキー操作で時計の設定を指示すると処理が始まる。
以下、図面を参照して、時刻設定の処理の流れを説明する。なお、この処理は、ＲＯＭ１４に格納されているプログラムが、操作表示部３からの指示で開始される。まず、パラメータメモリに登録されている時刻設定用の電話番号に網制御装置１８が発呼する（ステップ３０１）。この時刻設定用の番号はＮＴＴ時報サービスの番号でよいが、同様のサービスを行う局なら利用が可能である。相手が出て、時報のアナウンスが始まったら、音声を認識して時刻を抽出する（ステップ３０２）。時刻が抽出できたら（ステップ３０２でＹ）、リアルタイムクロック６に時刻のセットを行い（ステップ３０３）、回線を開放して（ステップ３０４）、時刻設定済である旨をパラメータメモリ５に記録すると共に、設定済みマークを操作表示部３に表示して（ステップ３０５）処理を終了する。なお、設定済みマークの表示と併用して、音で時刻設定済であることを知らせるようにしてもよい。この場合、言葉による音声でも、周波数や振幅が時間と共に変化する所定の電子音でもよい。
【００１０】
以上説明したように、操作表示部３に受信マークが表示されていれば、前夜に電波時計による時刻設定が成功したことがわかり、設定済みマークが表示されていれば前夜の自動設定以降にマニュアルによる設定が済んでいることがわかる。一方、未受信マークが表示されている場合は、電波時計による時刻設定が不成功に終ったにもかかわらず、以後、誰も時計の修正を行っていないことがわかる。また、長い間未受信マークが表示されたままにならないように、電波時計による時刻設定が不成功に終った場合は、連続して不成功に終った回数がわかる表示をするとよい。また、各マークはＬＣＤに表示しても、あるいはＬＥＤ等のランプで表示してもよい。
なお、電波時計による時刻設定が不成功に終った場合は、自動的に時刻設定用の電話番号を発呼して、音声認識による時刻設定（図３で説明した処理）を起動すると、ファクシミリ装置が受信中あるいは送信中でない場合は、人手をかけずに時計の修正を行うことができる。
【図面の簡単な説明】
【００１１】
【図１】本発明のファクシミリ装置の機能構成を示すブロック図。
【図２】自動設定による時計への時刻設定の流れを説明する図。
【図３】マニュアル設定による時計への時刻設定の流れを説明する図。
【符号の説明】
【００１２】
３  操作表示部、５  パラメータメモリ、６  リアルタイムクロック、９  バッテリ、１０  電波時計、１１  通信制御部、１３  ＣＰＵ、１４  ＲＯＭ、１６  音声認識部、１７  モデム、１８  網制御装置、２０  バス
【図１】
2006023217.tif 000003
【図２】
2006023217.tif 000004
【図３】
2006023217.tif 000005